(57)【要約】制御部（１１０）は、商用電力系統と発電装置とのうちの少なくとも一方から供給された電力を充電して蓄電して、蓄電した電力を放電して電気機器に供給する蓄電池による充放電を制御する。蓄電量測定部（１４０）は、蓄電池に蓄電されている蓄電量を測定する。報知部（１８０）は、蓄電量測定部（１４０）により測定された蓄電量が報知対象レベルに達したことに応答して、測定された蓄電量が報知対象レベルに達したことを報知する。
2015159426.tif 000002
【特許請求の範囲】
【請求項１】
商用電力系統と発電装置とのうちの少なくとも一方から供給された電力を充電して蓄電し、蓄電した電力を放電して電気機器に供給する蓄電池による充放電を制御する充放電制御手段と、
前記蓄電池に蓄電されている蓄電量を測定する蓄電量測定手段と、
前記蓄電量測定手段により測定された蓄電量が報知対象レベルに達したことに応答して、前記測定された蓄電量が前記報知対象レベルに達したことを報知する報知手段と、を備える、
充放電制御システム。
【請求項２】
前記蓄電池に蓄電されていることを保証する蓄電量のレベルである蓄電保証レベルを設定する蓄電保証レベル設定手段をさらに備え、
前記報知対象レベルは、前記蓄電保証レベル設定手段により設定された蓄電保証レベルに対応付けられたレベルであり、
前記充放電制御手段は、前記蓄電量測定手段により測定された蓄電量が前記蓄電保証レベルを下回らないように、前記蓄電池による充放電を制御する、
請求項１に記載の充放電制御システム。
【請求項３】
前記蓄電保証レベル設定手段は、前記蓄電池が放電することが予測される予測放電量と、前記蓄電池が充電することが予測される予測充電量と、のうちの少なくとも一方に基づいて、前記蓄電保証レベルを設定する、
請求項２に記載の充放電制御システム。
【請求項４】
前記蓄電池は、前記蓄電池に蓄電された電力を動力源として走行する電気自動車が備える蓄電池であり、
前記蓄電保証レベル設定手段は、前記電気自動車の走行スケジュールを示す走行スケジュール情報に基づく予測放電量に基づいて、前記蓄電保証レベルを設定する、
請求項３に記載の充放電制御システム。
【請求項５】
前記蓄電保証レベル設定手段は、前記電気機器が使用されるスケジュールを示す使用スケジュール情報に基づく予測放電量に基づいて、前記蓄電保証レベルを設定する、
請求項３又は４に記載の充放電制御システム。
【請求項６】
前記蓄電保証レベル設定手段は、前記蓄電池が配置される地域の天気予報を示す天気予報情報に基づく予測充電量に基づいて、前記蓄電保証レベルを設定する、
請求項３から５までのいずれか１項に記載の充放電制御システム。
【請求項７】
前記充放電制御手段は、前記蓄電量測定手段により測定された蓄電量が前記蓄電保証レベルに達してから、前記蓄電量測定手段により測定される蓄電量が再放電を許可するレベルである再放電許可レベルに達するまでの間、前記蓄電池が放電しないように前記蓄電池による充放電を制御する、
請求項２から６までのいずれか１項に記載の充放電制御システム。
【請求項８】
前記充放電制御手段は、前記蓄電量測定手段により測定された蓄電量が前記蓄電保証レベルに達してから、予め定められた放電禁止時間が経過するまでの間、前記蓄電池が放電しないように前記蓄電池による充放電を制御する、
請求項２から７までのいずれか１項に記載の充放電制御システム。
【請求項９】
前記報知対象レベルは、前記蓄電池に蓄電することが推奨される上限のレベルである推奨上限レベルに対応付けられたレベルであり、
前記充放電制御手段は、前記蓄電量測定手段により測定された蓄電量が前記推奨上限レベルを上回らないように、前記蓄電池による充放電を制御する、
請求項１から８までのいずれか１項に記載の充放電制御システム。
【請求項１０】
前記充放電制御手段は、前記蓄電量測定手段により測定された蓄電量が前記推奨上限レベルに達してから、前記蓄電量測定手段により測定される蓄電量が再充電を許可するレベルである再充電許可レベルに達するまでの間、前記蓄電池が充電しないように前記蓄電池による充放電を制御する、
請求項９に記載の充放電制御システム。
【請求項１１】
前記充放電制御手段は、前記蓄電量測定手段により測定された蓄電量が前記推奨上限レベルに達してから、予め定められた充電禁止時間が経過するまでの間、前記蓄電池が充電しないように前記蓄電池による充放電を制御する、
請求項９又は１０に記載の充放電制御システム。
【請求項１２】
前記報知手段は、前記測定された蓄電量が前記報知対象レベルに達したことを報知してから、予め定められた報知禁止時間が経過するまでの間、前記測定された蓄電量が前記報知対象レベルに達したことを報知しない、
請求項１から１１までのいずれか１項に記載の充放電制御システム。
【請求項１３】
蓄電池に蓄積されている蓄電量を測定する蓄電量測定手段を備える電力変換装置と報知手段を備える端末装置とのそれぞれとネットワークを介して通信するためのインターフェースを備え、
前記インターフェースを介して前記電力変換装置と前記端末装置とのそれぞれと通信し、
前記蓄電量測定手段により測定された蓄電量が報知対象レベルに達したことに応答して、前記測定された蓄電量が前記報知対象レベルに達したことを前記報知手段に報知させる、
制御装置。
【請求項１４】
商用電力系統と発電装置とのうちの少なくとも一方から供給された電力を充電して蓄電し、蓄電した電力を放電して電気機器に供給する蓄電池による充放電を制御する充放電制御ステップと、
前記蓄電池に蓄電されている蓄電量を測定する蓄電量測定ステップと、
前記蓄電量測定ステップで測定された蓄電量が報知対象レベルに達したことに応答して、前記測定された蓄電量が前記報知対象レベルに達したことを報知する報知ステップと、を備える、
充放電制御方法。
【請求項１５】
蓄電量測定手段と報知手段とを備えるコンピュータに、
商用電力系統と発電装置とのうちの少なくとも一方から供給された電力を充電して蓄電し、蓄電した電力を放電して電気機器に供給する蓄電池による充放電を制御する充放電制御ステップと、
前記蓄電池に蓄電されている蓄電量を測定する蓄電量測定ステップと、
前記蓄電量測定ステップで測定された蓄電量が報知対象レベルに達したことに応答して、前記測定された蓄電量が前記報知対象レベルに達したことを報知する報知ステップと、を実行させる、
プログラム。
【発明の詳細な説明】
【技術分野】
【０００１】
本発明は、蓄電池による充放電を制御する充放電制御システム、制御装置、充放電制御方法、及び、プログラムに関する。
【背景技術】
【０００２】
商用電力系統や発電装置から供給された電力を蓄電し、必要に応じて電気機器に電力を供給する蓄電池が知られている。このような蓄電池として、例えば、電気自動車が動力源として備える蓄電池が用いられる。蓄電池による充放電は、安全性、コスト、利便性などを考慮して、適切に制御されることが望まれる。【０００３】
例えば、特許文献１には、充電器とバッテリとの接続状況を室内にて監視する室内コントローラを備える充電コントローラが開示されている。特許文献１に開示された室内コントローラは、充電中に異常が発生した場合、異常表示ランプを点灯させ、スピーカから警告音を発生させ、ディスプレイに異常の内容を表示させる。
【先行技術文献】
【特許文献】
【０００４】
【特許文献１】特開平９−２３３７２０号公報
【発明の概要】
【発明が解決しようとする課題】
【０００５】
しかしながら、特許文献１に開示された充電コントローラは、充電中に異常が発生したことを報知するだけであり、蓄電池に蓄電されている蓄電量を報知することはできなかった。このため、蓄電池に蓄電されている蓄電量を適切に報知することが可能な技術が望まれている。【０００６】
本発明は、上記問題に鑑みてなされたものであり、蓄電池に蓄電されている蓄電量を適切に報知するのに好適な充放電制御システム、制御装置、充放電制御方法、及び、プログラムを提供することを目的とする。
【課題を解決するための手段】
【０００７】
上記目的を達成するために、本発明に係る充放電制御システムは、
商用電力系統と発電装置とのうちの少なくとも一方から供給された電力を充電して蓄電し、蓄電した電力を放電して電気機器に供給する蓄電池による充放電を制御する充放電制御手段と、
前記蓄電池に蓄電されている蓄電量を測定する蓄電量測定手段と、
前記蓄電量測定手段により測定された蓄電量が報知対象レベルに達したことに応答して、前記測定された蓄電量が前記報知対象レベルに達したことを報知する報知手段と、を備える。
【発明の効果】
【０００８】
本発明では、測定された蓄電量が報知対象レベルに達したことに応答して、測定された蓄電量が報知対象レベルに達したことが報知される。従って、本発明によれば、蓄電池に蓄電されている蓄電量を適切に報知することができる。
【図面の簡単な説明】
【０００９】
【図１】本発明の実施形態１に係る充放電制御システムの構成図である。
【図２】本発明の実施形態１に係る電力制御装置の構成図である。
【図３】本発明の実施形態１に係るホームコントローラの構成図である。
【図４】本発明の実施形態１に係る端末装置の構成図である。
【図５】蓄電量のレベルとして設定される各種のレベルを示す図である。
【図６】本発明の実施形態１における蓄電保証レベル近傍での充放電制御を説明するための図である。
【図７】本発明の実施形態１における推奨上限レベル近傍での充放電制御を説明するための図である。
【図８】本発明の実施形態１に係る充放電制御システムが実行する充放電制御処理を示すフローチャートである。
【図９】図８に示す制御変更処理を示すフローチャートである。
【図１０】図８に示す報知処理を示すフローチャートである。
【図１１】図１０に示す充電中報知処理を示すフローチャートである。
【図１２】図１０に示す放電中報知処理を示すフローチャートである。
【図１３】天気予報と蓄電保証レベルとの関係を示す図である。
【図１４】電気自動車利用割合と蓄電保証レベルとの関係を示す図である。
【図１５】本発明の実施形態２における蓄電保証レベル近傍での充放電制御を説明するための図である。
【図１６】本発明の実施形態２における推奨上限レベル近傍での充放電制御を説明するための図である。
【図１７】本発明の実施形態２に係る制御変更処理を示すフローチャートである。
【図１８】本発明の実施形態２に係る充電中報知処理を示すフローチャートである。
【図１９】本発明の実施形態２に係る放電中報知処理を示すフローチャートである。
【図２０】変形例に係る報知処理を示すフローチャートである。
【発明を実施するための形態】
【００１０】
以下、本発明の実施形態を、図面を参照して説明する。
【００１１】
（実施形態１）
まず、本発明の実施形態１に係る充放電制御システム１０００について説明する。充放電制御システム１０００は、基本的に、電力制御装置１００が蓄電池２１０による充電又は放電を制御するシステムである。
【００１２】
充放電制御システム１０００は、電力制御装置１００と、蓄電池２１０と、太陽光発電パネル２２０と、商用電源２３０と、ホームコントローラ３００と、電気機器４００と、電力計測装置５００と、端末装置６００と、サーバ７００と、宅内ネットワーク８１０と、宅外ネットワーク８２０と、ブロードバンドルータ８３０と、を備える。
【００１３】
電力制御装置１００は、蓄電池２１０が充電する電力や蓄電池２１０が放電する電力を制御する。また、電力制御装置１００は、太陽光発電パネル２２０から供給される直流電力を、交流電力に変換する。また、電力制御装置１００は、商用電源２３０から供給される電力（以下、適宜「買電電力」という。）や商用電源２３０に供給する電力（以下、適宜「売電電力」という。）を制御する。ここで、蓄電池２１０と太陽光発電パネル２２０と商用電源２３０とから電力制御装置１００に供給される電力の和は、電力制御装置１００が蓄電池２１０と商用電源２３０と電気機器４００とに供給する電力の和と等しい。従って、電力制御装置１００は、太陽光発電パネル２２０から供給される電力の量や電気機器４００により消費される電力の量に応じて、蓄電池２１０や商用電源２３０から電力の供給を受けたり、蓄電池２１０や商用電源２３０に電力を供給したりする。このように、電力制御装置１００は、電力変換装置として機能する。
【００１４】
図２に示すように、電力制御装置１００は、制御部１１０と、パワーコンディショナ１２０と、パワーコンディショナ１３０と、蓄電量測定部１４０と、記憶部１５０と、操作部１６０と、通信部１７０と、報知部１８０と、を備える。
【００１５】
制御部１１０は、電力制御装置１００全体の動作を制御する。つまり、制御部１１０は、電力制御装置１００が備える各構成要素を制御して、後述する充放電制御処理を実行する。制御部１１０は、例えば、ＣＰＵ（Central Processing Unit）、ＲＯＭ（Read Only Memory）、ＲＡＭ（Random Access Memory）、フラッシュメモリ、ＲＴＣ（Real Time Clock）などを備える。
【００１６】
パワーコンディショナ１２０は、蓄電池２１０から供給された直流電力を交流電力に変換し、電気機器４００などに供給する。また、パワーコンディショナ１２０は、電気機器４００などから供給された交流電力を直流電力に変換し、蓄電池２１０に供給する。このように、パワーコンディショナ１２０は、ＤＣ／ＡＣ（Direct Current / Alternating Current）変換器として機能する。
【００１７】
パワーコンディショナ１３０は、太陽光発電パネル２２０から供給された直流電力を交流電力に変換し、電気機器４００などに供給する。このように、パワーコンディショナ１３０は、ＤＣ／ＡＣ変換器として機能する。
【００１８】
蓄電量測定部１４０は、蓄電池２１０に蓄電されている蓄電量（充電量）を測定する。蓄電量測定部１４０は、種々の手法を用いて、蓄電池２１０に蓄電されている蓄電量を測定することができる。例えば、蓄電量測定部１４０は、蓄電池２１０に予め定められた抵抗値の負荷を接続し、この負荷に流れる電流の値やこの負荷の両端に印加される電圧の値に基づいて、蓄電池２１０の蓄電量を測定することができる。また、例えば、蓄電量測定部１４０は、蓄電池２１０がフル充電状態又はフル放電状態にあるとき以降、蓄電池２１０が充電又は放電した電力の積算値を記憶することで、蓄電池２１０の蓄電量を測定することができる。
【００１９】
記憶部１５０は、充放電制御処理に関わる種々の情報などを記憶する。記憶部１５０は、例えば、蓄電保証レベルを示す情報や推奨上限レベルを示す情報を記憶する。記憶部１５０は、例えば、フラッシュメモリを備える。
【００２０】
操作部１６０は、ユーザによる操作を受け付ける。操作部１６０は、例えば、蓄電保証レベルや推奨上限レベルの指定をユーザから受け付ける。なお、操作部１６０が受け付けた情報は、制御部１１０により記憶部１５０に記憶される。操作部１６０は、例えば、タッチスクリーン、ボタン、レバーなどを備える。操作部１６０は、リモートコントローラなどを備えていてもよい。
【００２１】
通信部１７０は、制御部１１０による制御のもと、ブロードバンドルータ８３０などを介してホームコントローラ３００などと通信する。通信部１７０は、例えば、ＮＩＣ（Network Interface Card）などのＬＡＮ（Local Area Network）インターフェースを備える。
【００２２】
報知部１８０は、制御部１１０による制御に従って、蓄電池２１０の蓄電量が各種のレベルになったことなどを報知する。報知部１８０は、例えば、スピーカ、ブザー、液晶ディスプレイ、ＬＥＤ（Light Emitting Diode）などを備える。
【００２３】
蓄電池２１０は、供給された電力を蓄電し、蓄電した電力を供給する。具体的には、蓄電池２１０は、パワーコンディショナ１２０を介して太陽光発電パネル２２０や商用電源２３０から供給された電力を蓄電する。また、蓄電池２１０は、電力制御装置１００に接続されているとき、蓄電した電力をパワーコンディショナ１２０を介して電気機器４００に供給する。一方、蓄電池２１０は、パワーコンディショナ１２０に接続されていないとき、蓄電した電力を電気自動車に供給する。電気自動車は、蓄電池２１０を備え、蓄電池２１０に蓄電された電気エネルギーを動力源として走行する自動車である。本実施形態では、電気自動車は、電気エネルギーのみを動力源とするいわゆる電気自動車であってもよいし、他のエネルギーをも動力源とするハイブリッド自動車であってもよい。なお、蓄電池２１０を備える自動車がハイブリッド自動車である場合、蓄電池２１０は、パワーコンディショナ１２０に接続されていないときに、ハイブリッド自動車により充電されることもある。
【００２４】
太陽光発電パネル２２０は、太陽光のエネルギーを電気エネルギーに変換する。太陽光発電パネル２２０は、発電により得られた直流電力を、パワーコンディショナ１３０に供給する。
【００２５】
商用電源２３０は、電力会社などが需要家に電力を供給する電源である。商用電源２３０により供給される電力は、交流電力である。本実施形態では、商用電源２３０から需要家に潮流される電力を買電電力とし、需要家から商用電源２３０に逆潮流される電力を売電電力とする。つまり、需要家は、電力会社から電力を買うこともできるし、電力会社に電力を売ることもできる。
【００２６】
ホームコントローラ３００は、宅内ネットワーク８１０に接続された電気機器４００を、制御したり監視したりする。ホームコントローラ３００は、電力制御装置１００、電気機器４００、電力計測装置５００、端末装置６００、サーバ７００などと通信することができる。以下、図３を参照して、ホームコントローラ３００の構成について説明する。
【００２７】
図３に示すように、ホームコントローラ３００は、ＣＰＵ３１、ＲＯＭ３２、ＲＡＭ３３、フラッシュメモリ３４、ＲＴＣ３５、宅内インターフェース３６、宅外インターフェース３７を備える。ホームコントローラ３００が備える各構成要素は、バスを介して相互に接続される。
【００２８】
ＣＰＵ３１は、ホームコントローラ３００の全体の動作を制御する。なお、ＣＰＵ３１は、ＲＯＭ３２に格納されているプログラムに従って動作し、ＲＡＭ３３をワークエリアとして使用する。
【００２９】
ＲＯＭ３２には、ホームコントローラ３００の全体の動作を制御するためのプログラムやデータが記憶される。
【００３０】
ＲＡＭ３３は、ＣＰＵ３１のワークエリアとして機能する。つまり、ＣＰＵ３１は、ＲＡＭ３３にプログラムやデータを一時的に書き込み、これらのプログラムやデータを適宜参照する。
【００３１】
フラッシュメモリ３４は、各種の情報を記憶する不揮発性メモリである。
【００３２】
ＲＴＣ３５は、計時用のデバイスである。ＲＴＣ３５は、例えば、電池を内蔵し、ホームコントローラ３００の電源がオフの間も計時を継続する。ＲＴＣ３５は、例えば、水晶発振子を備える発振回路を備える。
【００３３】
宅内インターフェース３６は、ホームコントローラ３００を、宅内ネットワーク８１０に接続するためのインターフェースである。ホームコントローラ３００は、宅内ネットワーク８１０を介して、電気機器４００、電力計測装置５００、端末装置６００などと通信することができる。宅内インターフェース３６は、ＮＩＣなどのＬＡＮインターフェースを備える。
【００３４】
宅外インターフェース３７は、ホームコントローラ３００を、宅外ネットワーク８２０などに接続するためのインターフェースである。ホームコントローラ３００は、宅外ネットワーク８２０を介して、電力制御装置１００、端末装置６００、サーバ７００などと通信することができる。宅外インターフェース３７は、ＮＩＣなどのＬＡＮインターフェースを備える。
【００３５】
電気機器４００は、電気エネルギーを動力源として動作する機器である。電気機器４００は、蓄電池２１０、太陽光発電パネル２２０、商用電源２３０のうちの少なくとも１つから供給された電力で動作する。本実施形態では、電気機器４００は、交流電力で動作するものとする。電気機器４００は、例えば、エアコン、給湯器、電気ストーブ、炊飯器、照明装置、電気カーペットなどである。本実施形態では、電気機器４００の個数が２個である例について説明する。電気機器４００の個数は、１個でもよいし、３個以上であってもよい。
【００３６】
電力計測装置５００は、各種の電力を計測する。例えば、電力計測装置５００は、蓄電池２１０に充電されている電力の値、蓄電池２１０から放電されている電力の値、太陽光発電パネル２２０により発電されている電力の値、買電電力の値、売電電力の値などを測定する。電力計測装置５００は、電気機器４００により消費されている電力の値を測定することもできる。
【００３７】
端末装置６００は、情報処理機能や通信機能などを有する装置である。端末装置６００は、宅内ネットワーク８１０や宅外ネットワーク８２０を介して、ホームコントローラ３００と接続される。従って、ユーザは、端末装置６００を用いて、電気機器４００を制御したり、電気機器４００を監視したりすることができる。端末装置６００は、例えば、スマートフォン、携帯電話、タブレット端末などである。以下、図４を参照して、端末装置６００の構成について説明する。
【００３８】
図４に示すように、端末装置６００は、ＣＰＵ６１、ＲＯＭ６２、ＲＡＭ６３、フラッシュメモリ６４、ＲＴＣ６５、宅内インターフェース６６、宅外インターフェース６７、タッチスクリーン６８、スピーカ６９を備える。端末装置６００が備える各構成要素は、バスを介して相互に接続される。
【００３９】
ＣＰＵ６１は、端末装置６００の全体の動作を制御する。なお、ＣＰＵ６１は、ＲＯＭ６２に格納されているプログラムに従って動作し、ＲＡＭ６３をワークエリアとして使用する。
【００４０】
ＲＯＭ６２には、端末装置６００の全体の動作を制御するためのプログラムやデータが記憶される。
【００４１】
ＲＡＭ６３は、ＣＰＵ６１のワークエリアとして機能する。つまり、ＣＰＵ６１は、ＲＡＭ６３にプログラムやデータを一時的に書き込み、これらのプログラムやデータを適宜参照する。
【００４２】
フラッシュメモリ６４は、各種の情報を記憶する不揮発性メモリである。
【００４３】
ＲＴＣ６５は、計時用のデバイスである。ＲＴＣ６５は、例えば、電池を内蔵し、端末装置６００の電源がオフの間も計時を継続する。ＲＴＣ６５は、例えば、水晶発振子を備える発振回路を備える。
【００４４】
宅内インターフェース６６は、端末装置６００を、宅内ネットワーク８１０に接続するためのインターフェースである。端末装置６００は、宅内ネットワーク８１０を介して、ホームコントローラ３００と通信することができる。宅内インターフェース６６は、ＮＩＣなどのＬＡＮインターフェースを備える。
【００４５】
宅外インターフェース６７は、端末装置６００を、宅外ネットワーク８２０などに接続するためのインターフェースである。端末装置６００は、宅外ネットワーク８２０を介して、ホームコントローラ３００と通信することができる。宅外インターフェース６７は、ＮＩＣなどのＬＡＮインターフェースを備える。
【００４６】
タッチスクリーン６８は、ユーザによりなされたタッチ操作を検知し、検知の結果を示す信号をＣＰＵ６１に供給する。また、タッチスクリーン６８は、ＣＰＵ６１などから供給された画像信号に基づく画像を表示する。このように、タッチスクリーン６８は、端末装置６００のユーザインターフェースとして機能する。
【００４７】
スピーカ６９は、ＣＰＵ６１による制御に従って、音声を出力する。例えば、スピーカ６９は、ＣＰＵ６１などから供給されるデジタルの音声データを、アナログの音声データ（電圧信号）に変換し、音声として出力する。
【００４８】
サーバ７００は、各種の情報を記憶する。サーバ７００は、宅外ネットワーク８２０を介してホームコントローラ３００や端末装置６００と接続される。従って、サーバ７００は、各種の情報を、ホームコントローラ３００や端末装置６００に送信することができる。また、サーバ７００は、各種の情報を、ホームコントローラ３００や端末装置６００から受信することができる。
【００４９】
宅内ネットワーク８１０は、需要家内に構築されるネットワークである。宅内ネットワーク８１０は、例えば、ホームコントローラ３００と電気機器４００とが通信するためのホームネットワークである。宅内ネットワーク８１０は、例えば、無線ＬＡＮなどのネットワークである。
【００５０】
宅外ネットワーク８２０は、需要家外に構築されるネットワークである。宅外ネットワーク８２０は、例えば、ホームコントローラ３００と端末装置６００とサーバ７００とを相互に接続するためのネットワークである。宅外ネットワーク８２０は、例えば、インターネットなどのＷＡＮ（Wide Area Network）である。
【００５１】
ブロードバンドルータ８３０は、ホームコントローラ３００を、ＡＤＳＬ（Asymmetric Digital Subscriber Line）や光ファイバなど高速な回線で、宅外ネットワーク８２０に接続するためのルータである。ブロードバンドルータ８３０は、ホームコントローラ３００を、電力制御装置１００に接続する機能も有する。ブロードバンドルータ８３０は、ＬＡＮ側にＥｔｈｅｒｎｅｔ（登録商標）ポートやシリアルポートを備え、ＷＡＮ側にＥｔｈｅｒｎｅｔ（登録商標）ポートを備える。
【００５２】
次に、図５を参照して、蓄電量のレベルとして設定される各種のレベルについて説明する。蓄電量のレベルとしては、蓄電量の少ない順に、フル放電レベル（Ｑｍｉｎ）、過放電レベル（Ｑｌｏｗ）、ＥＶ（Electric Vehicle）利用保証レベル（Ｑｅｖ）、蓄電保証レベル（Ｑｉ）、再放電許可レベル（Ｑｉｒ）、再充電許可レベル（Ｑｈｉｒ）、推奨上限レベル（Ｑｈｉ）、フル充電レベル（Ｑｍａｘ）が存在する。
【００５３】
フル放電レベルは、蓄電池２１０が完全に放電したときのレベルであり、基本的にゼロに近いレベルである。過放電レベルは、蓄電池２１０が放電し過ぎたときの蓄電量の上限のレベルである。つまり、蓄電池２１０は、過放電レベル以下の蓄電量しか蓄電していないときに、過放電状態である。なお、蓄電池２１０は、過放電状態となると、寿命が短くなる。ＥＶ利用保証レベルは、電気自動車の利用を保証するための最低限のレベルである。蓄電保証レベルは、蓄電池２１０に蓄電することを保証する最低限のレベルである。
【００５４】
再放電許可レベルは、一度、蓄電保証レベルに達して放電が禁止された後、再度、放電が許可されるレベルである。また、本実施形態では、放電中に再放電許可レベルに達すると、まもなく放電ができなくなる旨が報知されるものとする。再充電許可レベルは、一度、推奨上限レベルに達して充電が禁止された後、再度、充電が許可されるレベルである。また、本実施形態では、充電中に再充電許可レベルに達すると、まもなく充電ができなくなる旨が報知されるものとする。推奨上限レベルは、蓄電池２１０の延命化のために推奨される上限のレベルである。フル充電レベルは、蓄電池２１０が完全に充電したときのレベルである。
【００５５】
本実施形態では、電力制御装置１００は、蓄電池２１０の延命化と利便性とを考慮して、蓄電池２１０に蓄電される蓄電量が、蓄電保証レベルから推奨上限レベルまでの間に収まるように、蓄電池２１０による充放電を制御する。本実施形態では、蓄電保証レベルや推奨上限レベルは、ユーザの指示に従って更新されるものとする。また、本実施形態では、再放電許可レベルは、蓄電保証レベルに応じて決定され、再充電許可レベルは、推奨上限レベルに応じて決定されるものとする。例えば、再放電許可レベルは、蓄電保証レベルの１．２倍のレベルに設定され、再充電許可レベルは、推奨上限レベルの０．８倍のレベルに設定される。
【００５６】
次に、図６を参照して、蓄電保証レベル近傍での充放電制御について説明する。図６では、縦軸が蓄電量を示し、横軸が時間を示している。
【００５７】
まず、ｔ１１までは、蓄電量が再放電許可レベル以上であるため、通常の充放電制御（以下、適宜「通常制御」という。）が実行される。通常制御は、蓄電池２１０による充電や放電が全く制限されない制御である。なお、充放電制御として、通常制御の他、強制充電制御、放電禁止制御、充電禁止制御、強制放電制御が存在する。
【００５８】
強制充電制御は、強制的に、蓄電池２１０を充電する制御である。放電禁止制御は、蓄電池２１０による放電が禁止され、蓄電池２１０による充電は制限されない制御である。充電禁止制御は、蓄電池２１０による充電が禁止され、蓄電池２１０による放電は制限されない制御である。強制放電制御は、強制的に、蓄電池２１０に放電させる制御である。
【００５９】
次に、ｔ１１において、蓄電量が再放電許可レベルになると、間もなく放電できなくなる旨が報知される。そして、ｔ１１からｔ１２までは、蓄電量が再放電許可レベル以下であり、蓄電保証レベル到達直後でないため、通常制御が実行される。
【００６０】
ここで、ｔ１２において、蓄電量が蓄電保証レベルになると、放電できなくなった旨が報知される。そして、ｔ１２からｔ１３までは、蓄電量が再放電許可レベル以下であり、蓄電保証レベル到達直後であるため、放電禁止制御が実行される。
【００６１】
そして、ｔ１３において、蓄電量が再放電許可レベルになると、放電できるようになった旨が報知される。また、ｔ１３以降は、蓄電量が再放電許可レベル以上であるため、通常制御が実行される。
【００６２】
ここで、蓄電池２１０が、ｔ１３からｔ１４までの間に、電力制御装置１００（パワーコンディショナ１２０）から取り外され、ｔ１４において、再度、電力制御装置１００に取り付けられたものとする。また、蓄電池２１０は、電力制御装置１００から取り外されている間に、電気自動車により電力が消費され、蓄電池２１０に蓄電された蓄電量が蓄電保証レベル以下になるものとする。このとき、ｔ１４において、充電する旨が報知される。そして、ｔ１４からｔ１５までは、蓄電量が蓄電保証レベル以下であるため、充電制御が実行される。
【００６３】
ここで、ｔ１５において、蓄電量が蓄電保証レベルになると、蓄電保証レベルまで充電できた旨が報知される。そして、ｔ１５からｔ１６までは、蓄電量が再放電許可レベル以下であり、蓄電保証レベル到達直後であるため、放電禁止制御が実行される。
【００６４】
そして、ｔ１６において、蓄電量が再放電許可レベルになると、放電できるようになった旨が報知される。そして、ｔ１６以降は、蓄電量が再放電許可レベル以上であるため、通常制御が実行される。
【００６５】
次に、図７を参照して、推奨上限レベル近傍での充放電制御について説明する。図７では、縦軸が蓄電量を示し、横軸が時間を示している。
【００６６】
まず、ｔ２１までは、蓄電量が再充電許可レベル以下であるため、通常制御が実行される。次に、ｔ２１において、蓄電量が再充電許可レベルになると、間もなく充電できなくなる旨が報知される。そして、ｔ２１からｔ２２までは、蓄電量が再充電許可レベル以上であり、推奨上限レベル直後でないため、通常制御が実行される。
【００６７】
ここで、ｔ２２において、蓄電量が推奨上限レベルになると、充電できなくなった旨が報知される。そして、ｔ２２からｔ２３までは、蓄電量が再充電許可レベル以上であり、推奨上限レベル到達直後であるため、充電禁止制御が実行される。
【００６８】
そして、ｔ２３において、蓄電量が再充電許可レベルになると、充電できるようになった旨が報知される。そして、ｔ２３からｔ２４までは、蓄電量が再充電許可レベル以下であるため、通常制御が実行される。
【００６９】
そして、ｔ２４において、蓄電量が再充電許可レベルになると、間もなく充電できなくなる旨が報知される。そして、ｔ２４からｔ２５までは、蓄電量が再充電許可レベル以上であり、推奨上限レベル直後でないため、通常制御が実行される。ここで、ｔ２５において、蓄電量が推奨上限レベルになると、充電できなくなった旨が報知される。
【００７０】
次に、図８に示すフローチャートを参照して、実施形態１に係る充放電制御システム１０００が実行する充放電制御処理について説明する。ここで、本実施形態では、基本的に、電力制御装置１００が充放電制御処理を実行する。なお、電力制御装置１００は、電源が投入されたことに応答して、図８に示す充放電制御処理を開始する。また、本実施形態では、特に明示がない場合、蓄電池２１０が電力制御装置１００に接続されているものとする。
【００７１】
まず、制御部１１０は、初期化処理を実行する（ステップＳ１０１）。例えば、制御部１１０は、蓄電保証レベル、再放電許可レベル、再充電許可レベル、推奨上限レベルを設定する。なお、蓄電保証レベルは、予め定められたＥＶ利用保証レベルよりも高いレベルに設定される。また、再放電許可レベルは、蓄電保証レベルよりもやや高いレベルに設定される。そして、推奨上限レベルは、予め定められたフル充電レベルよりも低いレベルに設定される。また、再充電許可レベルは、推奨上限レベルよりもやや低いレベルに設定される。制御部１１０は、蓄電保証レベル、再放電許可レベル、再充電許可レベル、推奨上限レベルなどを示す情報を、記憶部１５０に記憶することができる。
【００７２】
制御部１１０は、ステップＳ１０１の処理を完了すると、設定変更指示があるか否かを判別する（ステップＳ１０２）。例えば、制御部１１０は、操作部１６０により、設定の変更を指示するユーザの操作が受け付けられたか否かを判別する。この設定は、例えば、蓄電保証レベル、推奨上限レベルなどの設定である。なお、ユーザは、例えば、蓄電池２１０を備える電気自動車を利用した外出スケジュール、電気機器４００の使用スケジュールなどに基づいて、蓄電保証レベルを設定する。ユーザは、例えば、電気自動車を使用する予定がある場合、高めの蓄電保証レベルを設定することが好適である。また、ユーザは、例えば、電気機器４００による消費電力が大きいほど低めの蓄電保証レベルを設定することができる。
【００７３】
制御部１１０は、設定変更指示があると判別した場合（ステップＳ１０２：ＹＥＳ）、設定を変更する（ステップＳ１０３）。例えば、制御部１１０は、操作部１６０に受け付けられた指示に従って、蓄電保証レベルや推奨上限レベルを変更する。制御部１１０は、蓄電保証レベルとともに再放電許可レベルを変更し、推奨上限レベルとともに再充電許可レベルを変更することができる。なお、制御部１１０は、記憶部１５０に記憶された、各種のレベルを示す情報を更新することにより、設定を変更する。
【００７４】
制御部１１０は、設定変更指示がないと判別した場合（ステップＳ１０２：ＮＯ）、又は、ステップＳ１０３の処理を完了した場合、蓄電量を測定する（ステップＳ１０４）。例えば、制御部１１０は、蓄電量測定部１４０を制御して、蓄電池２１０に蓄電された蓄電量を測定する。制御部１１０は、測定された蓄電量を、記憶部１５０に記憶する。
【００７５】
制御部１１０は、ステップＳ１０４の処理を完了すると、制御変更処理を実行する（ステップＳ１０５）。以下、図９に示すフローチャートを参照して、制御変更処理について詳細に説明する。
【００７６】
まず、制御部１１０は、蓄電量が蓄電保証レベル以下であるか否かを判別する（ステップＳ２０１）。制御部１１０は、蓄電量が蓄電保証レベル以下であると判別すると（ステップＳ２０１：ＹＥＳ）、強制充電制御を開始する（ステップＳ２０２）。なお、制御部１１０は、新たに開始しようとする制御が実行中の制御でない場合、実行中の制御に代えて新たな制御を開始する。一方、制御部１１０は、新たに開始しようとする制御が実行中の制御である場合、実行中の制御を継続する。
【００７７】
制御部１１０は、蓄電量が蓄電保証レベル以下でないと判別すると（ステップＳ２０１：ＮＯ）、蓄電量が推奨上限レベル以上であるか否かを判別する（ステップＳ２０３）。制御部１１０は、蓄電量が推奨上限レベル以上であると判別すると（ステップＳ２０３：ＹＥＳ）、強制放電制御を開始する（ステップＳ２０４）。
【００７８】
制御部１１０は、蓄電量が推奨上限レベル以上でないと判別すると（ステップＳ２０３：ＮＯ）、蓄電量が再放電許可レベル以下であるか否かを判別する（ステップＳ２０５）。制御部１１０は、蓄電量が再放電許可レベル以下であると判別すると（ステップＳ２０５：ＹＥＳ）、蓄電保証レベル到達直後であるか否かを判別する（ステップＳ２０６）。なお、制御部１１０が蓄電保証レベル到達直後であるか否かを判別する手法は、適宜、調整することができる。
【００７９】
例えば、制御部１１０は、蓄電保証レベルに到達した場合に、蓄電保証レベル到達フラグをセットし、以後、測定された蓄電量が再放電許可レベルを超えた場合に、この蓄電保証レベル到達フラグをクリアする。ここで、制御部１１０は、蓄電保証レベル到達フラグがセットされているか否かを判別することにより、蓄電保証レベル到達直後であるか否かを判別することができる。なお、蓄電保証レベル到達フラグは、記憶部１５０に記憶される。制御部１１０は、蓄電保証レベル到達直後であると判別すると（ステップＳ２０６：ＹＥＳ）、放電禁止制御を開始する（ステップＳ２０７）。
【００８０】
制御部１１０は、蓄電量が再放電許可レベル以下でないと判別すると（ステップＳ２０５：ＮＯ）、蓄電量が再充電許可レベル以上であるか否かを判別する（ステップＳ２０８）。制御部１１０は、蓄電量が再充電許可レベル以上であると判別すると（ステップＳ２０８：ＹＥＳ）、推奨上限レベル到達直後であるか否かを判別する（ステップＳ２０９）。なお、制御部１１０が推奨上限レベル到達直後であるか否かを判別する手法は、適宜、調整することができる。
【００８１】
例えば、制御部１１０は、推奨上限レベルに到達した場合に、推奨上限レベル到達フラグをセットし、以後、測定された蓄電量が再充電許可レベルを超えた場合に、この推奨上限レベル到達フラグをクリアする。ここで、制御部１１０は、推奨上限レベル到達フラグがセットされているか否かを判別することにより、推奨上限レベル到達直後であるか否かを判別することができる。なお、推奨上限レベル到達フラグは、記憶部１５０に記憶される。制御部１１０は、推奨上限レベル到達直後であると判別すると（ステップＳ２０９：ＹＥＳ）、充電禁止制御を開始する（ステップＳ２１０）。
【００８２】
制御部１１０は、蓄電保証レベル到達直後でないと判別した場合（ステップＳ２０６：ＮＯ）、蓄電量が再充電許可レベル以上でないと判別した場合（ステップＳ２０８：ＮＯ）、又は、推奨上限レベル到達直後でないと判別した場合（ステップＳ２０９：ＮＯ）、通常制御を開始する（ステップＳ２１１）。制御部１１０は、ステップＳ２０２、ステップＳ２０４、ステップＳ２０７、ステップＳ２１０、ステップＳ２１１の処理を完了すると、制御変更処理を終了する。
【００８３】
制御部１１０は、ステップＳ１０５の制御変更処理を完了すると、報知処理を実行する（ステップＳ１０６）。以下、図１０に示すフローチャートを参照して、報知処理について詳細に説明する。
【００８４】
まず、制御部１１０は、再接続時であるか否かを判別する（ステップＳ３０１）。再接続時は、蓄電池２１０が電力制御装置１００に接続されていない状態から、蓄電池２１０が電力制御装置１００に接続された状態に変化した時である。再接続時であるか否かを判別する手法は、適宜、調整することができる。例えば、蓄電池２１０が電力制御装置１００に接続されているか否かを、パワーコンディショナ１２０や蓄電量測定部１４０が検出可能である場合が考えられる。この場合、制御部１１０は、パワーコンディショナ１２０や蓄電量測定部１４０から供給された信号に基づいて、再接続されたか否か（蓄電池２１０が電力制御装置１００に接続されていない状態から、蓄電池２１０が電力制御装置１００に接続された状態に変化したか否か）を判別することができる。
【００８５】
制御部１１０は、再接続時であると判別すると（ステップＳ３０１：ＹＥＳ）、蓄電量が蓄電保証レベル以下であるか否かを判別する（ステップＳ３０２）。制御部１１０は、蓄電量が蓄電保証レベル以下であると判別すると（ステップＳ３０２：ＹＥＳ）、強制充電開始の旨を報知する（ステップＳ３０３）。なお、制御部１１０が報知する手法は、適宜、調整することができる。例えば、制御部１１０は、報知部１８０を制御して、強制充電開始の旨を報知する音声を出力したり、強制充電開始の旨を報知する画像を提示したりすることができる。
【００８６】
制御部１１０は、蓄電量が蓄電保証レベル以下でないと判別すると（ステップＳ３０２：ＮＯ）、蓄電量が推奨上限レベル以上であるか否かを判別する（ステップＳ３０４）。制御部１１０は、蓄電量が推奨上限レベル以上であると判別すると（ステップＳ３０４：ＹＥＳ）、強制放電開始の旨を報知する（ステップＳ３０５）。なお、制御部１１０は、報知部１８０を制御して、強制放電開始の旨を報知することができる。
【００８７】
制御部１１０は、再接続時でないと判別すると（ステップＳ３０１：ＮＯ）、蓄電量が増加中であるか否かを判別する（ステップＳ３０６）。制御部１１０が、蓄電量が増加中であるか否かを判別する手法は、適宜、調整することができる。例えば、制御部１１０は、ステップＳ１０４において測定された蓄電量の履歴を記憶部１５０に記憶し、この蓄電量の履歴に基づいて、蓄電量が増加中であるか否かを判別することができる。なお、蓄電量の履歴は、少なくとも２回の測定分の蓄電量（前回測定された蓄電量と今回測定された蓄電量）を含む履歴であることが好適である。この場合、制御部１１０は、今回測定された蓄電量が、前回測定された蓄電量よりも大きい場合、蓄電量が増加中であると判別することができる。
【００８８】
制御部１１０は、蓄電量が増加中であると判別すると（ステップＳ３０６：ＹＥＳ）、充電中報知処理を実行する（ステップＳ３０７）。以下、図１１に示すフローチャートを参照して、充電中報知処理について詳細に説明する。
【００８９】
まず、制御部１１０は、蓄電量が蓄電保証レベルまで増加したか否かを判別する（ステップＳ４０１）。例えば、制御部１１０は、前回測定された蓄電量が蓄電保証レベルよりも小さく、今回測定された蓄電量が蓄電保証レベルよりも大きい場合、蓄電量が蓄電保証レベルまで増加したと判別する。制御部１１０は、蓄電量が蓄電保証レベルまで増加したと判別すると（ステップＳ４０１：ＹＥＳ）、蓄電量が蓄電保証レベルまで増加した旨を報知する（ステップＳ４０２）。例えば、制御部１１０は、報知部１８０を制御して、蓄電保証レベル分の蓄電量が確保された旨を、予め定められた期間（例えば、数秒〜数分間）、報知することができる。
【００９０】
制御部１１０は、蓄電量が蓄電保証レベルまで増加しなかったと判別した場合（ステップＳ４０１：ＮＯ）、又は、ステップＳ４０２の処理を完了した場合、蓄電量が再放電許可レベルまで増加したか否かを判別する（ステップＳ４０３）。例えば、制御部１１０は、前回測定された蓄電量が再放電許可レベルよりも小さく、今回測定された蓄電量が再放電許可レベルよりも大きい場合、蓄電量が再放電許可レベルまで増加したと判別する。制御部１１０は、蓄電量が再放電許可レベルまで増加したと判別すると（ステップＳ４０３：ＹＥＳ）、蓄電量が再放電許可レベルまで増加した旨を報知する（ステップＳ４０４）。例えば、制御部１１０は、報知部１８０を制御して、放電できるようになった旨を、予め定められた期間、報知することができる。なお、制御部１１０は、蓄電保証レベル到達直後でないと判別した場合、この報知をしなくてもよい。また、制御部１１０は、蓄電保証レベル到達フラグがセットされているか否かを判別することにより、蓄電保証レベル到達直後であるか否かを判別することができる。
【００９１】
制御部１１０は、蓄電量が再放電許可レベルまで増加しなかったと判別した場合（ステップＳ４０３：ＮＯ）、又は、ステップＳ４０４の処理を完了した場合、蓄電量が再充電許可レベルまで増加したか否かを判別する（ステップＳ４０５）。例えば、制御部１１０は、前回測定された蓄電量が再充電許可レベルよりも小さく、今回測定された蓄電量が再充電許可レベルよりも大きい場合、蓄電量が再充電許可レベルまで増加したと判別する。制御部１１０は、蓄電量が再充電許可レベルまで増加したと判別すると（ステップＳ４０５：ＹＥＳ）、蓄電量が再充電許可レベルまで増加した旨を報知する（ステップＳ４０６）。例えば、制御部１１０は、報知部１８０を制御して、間もなく充電できなくなる旨を、予め定められた期間、報知することができる。
【００９２】
制御部１１０は、蓄電量が再充電許可レベルまで増加しなかったと判別した場合（ステップＳ４０５：ＮＯ）、又は、ステップＳ４０６の処理を完了した場合、蓄電量が推奨上限レベルまで増加したか否かを判別する（ステップＳ４０７）。例えば、制御部１１０は、前回測定された蓄電量が推奨上限レベルよりも小さく、今回測定された蓄電量が推奨上限レベルよりも大きい場合、蓄電量が推奨上限レベルまで増加したと判別する。制御部１１０は、蓄電量が推奨上限レベルまで増加したと判別すると（ステップＳ４０７：ＹＥＳ）、蓄電量が推奨上限レベルまで増加した旨を報知する（ステップＳ４０８）。例えば、制御部１１０は、報知部１８０を制御して、充電できなくなった旨を、予め定められた期間、報知することができる。制御部１１０は、ステップＳ４０８の処理を完了した場合、又は、蓄電量が推奨上限レベルまで増加しなかったと判別した場合（ステップＳ４０７：ＮＯ）、充電中報知処理を完了する。
【００９３】
制御部１１０は、蓄電量が増加中でないと判別すると（ステップＳ３０６：ＮＯ）、放電中報知処理を実行する（ステップＳ３０８）。以下、図１２に示すフローチャートを参照して、放電中報知処理について詳細に説明する。
【００９４】
まず、制御部１１０は、蓄電量が推奨上限レベルまで減少したか否かを判別する（ステップＳ５０１）。例えば、制御部１１０は、前回測定された蓄電量が推奨上限レベルよりも大きく、今回測定された蓄電量が推奨上限レベルよりも小さい場合、蓄電量が推奨上限レベルまで減少したと判別する。制御部１１０は、蓄電量が推奨上限レベルまで減少したと判別すると（ステップＳ５０１：ＹＥＳ）、蓄電量が推奨上限レベルまで減少した旨を報知する（ステップＳ５０２）。例えば、制御部１１０は、報知部１８０を制御して、推奨上限レベル分の蓄電量まで放電された旨を、予め定められた期間、報知することができる。
【００９５】
制御部１１０は、蓄電量が推奨上限レベルまで減少しなかったと判別した場合（ステップＳ５０１：ＮＯ）、又は、ステップＳ５０２の処理を完了した場合、蓄電量が再充電許可レベルまで減少したか否かを判別する（ステップＳ５０３）。例えば、制御部１１０は、前回測定された蓄電量が再充電許可レベルよりも大きく、今回測定された蓄電量が再充電許可レベルよりも小さい場合、蓄電量が再充電許可レベルまで減少したと判別する。制御部１１０は、蓄電量が再充電許可レベルまで減少したと判別すると（ステップＳ５０３：ＹＥＳ）、蓄電量が再充電許可レベルまで減少した旨を報知する（ステップＳ５０４）。例えば、制御部１１０は、報知部１８０を制御して、充電できるようになった旨を、予め定められた期間、報知することができる。なお、制御部１１０は、推奨上限レベル到達直後でないと判別した場合、この報知をしなくてもよい。また、制御部１１０は、推奨上限レベル到達フラグがセットされているか否かを判別することにより、推奨上限レベル到達直後であるか否かを判別することができる。
【００９６】
制御部１１０は、蓄電量が再充電許可レベルまで減少しなかったと判別した場合（ステップＳ５０３：ＮＯ）、又は、ステップＳ５０４の処理を完了した場合、蓄電量が再放電許可レベルまで減少したか否かを判別する（ステップＳ５０５）。例えば、制御部１１０は、前回測定された蓄電量が再放電許可レベルよりも大きく、今回測定された蓄電量が再放電許可レベルよりも小さい場合、蓄電量が再放電許可レベルまで減少したと判別する。制御部１１０は、蓄電量が再放電許可レベルまで減少したと判別すると（ステップＳ５０５：ＹＥＳ）、再放電許可レベルまで減少した旨を報知する（ステップＳ５０６）。例えば、制御部１１０は、報知部１８０を制御して、間もなく放電できなくなる旨を、予め定められた期間、報知することができる。
【００９７】
制御部１１０は、蓄電量が再放電許可レベルまで減少しなかったと判別した場合（ステップＳ５０５：ＮＯ）、又は、ステップＳ５０６の処理を完了した場合、蓄電量が蓄電保証レベルまで減少したか否かを判別する（ステップＳ５０７）。例えば、制御部１１０は、前回測定された蓄電量が蓄電保証レベルよりも大きく、今回測定された蓄電量が蓄電保証レベルよりも小さい場合、蓄電量が蓄電保証レベルまで減少したと判別する。制御部１１０は、蓄電量が蓄電保証レベルまで減少したと判別すると（ステップＳ５０７：ＹＥＳ）、蓄電量が蓄電保証レベルまで減少した旨を報知する（ステップＳ５０８）。例えば、制御部１１０は、報知部１８０を制御して、放電できなくなった旨を、予め定められた期間、報知することができる。制御部１１０は、ステップＳ５０８の処理を完了した場合、又は、蓄電量が蓄電保証レベルまで減少しなかったと判別した場合（ステップＳ５０７：ＮＯ）、放電中報知処理を完了する。
【００９８】
制御部１１０は、ステップＳ３０３、ステップＳ３０５、ステップＳ３０７、ステップＳ３０８の処理を完了した場合、又は、蓄電量が推奨上限レベル以上でないと判別した場合（ステップＳ３０４：ＮＯ）、報知処理を完了する。制御部１１０は、ステップＳ１０６の報知処理を完了すると、ステップＳ１０２に処理を戻す。
【００９９】
本実施形態では、測定された蓄電量が報知対象レベルに達したことに応答して、測定された蓄電量が報知対象レベルに達したことが報知される。従って、本実施形態によれば、蓄電池に蓄電されている蓄電量を適切に報知することができる。
【０１００】
また、本実施形態では、蓄電保証レベルが設定され、蓄電保証レベルに対応付けられたレベルが報知対象レベルに設定され、蓄電量が蓄電保証レベルを下回らないように制御される。従って、本実施形態によれば、蓄電保証レベル以上の蓄電量が蓄電池に蓄電されている状態を維持するとともに、蓄電量が蓄電保証レベルに関わるレベルに達したことを適切に報知することができる。
【０１０１】
また、本実施形態では、蓄電量が蓄電保証レベルに達してから再放電許可レベルに達するまでの間、蓄電池２１０が放電しないように制御される。従って、本実施形態によれば、充電と放電とが繰り返されることを抑制することができ、蓄電池２１０の延命化を図ることが期待できる。また、本実施形態によれば、蓄電量が蓄電保証レベルに関わるレベルに達したことの報知が繰り返されることを抑制することが期待できる。
【０１０２】
また、本実施形態では、推奨上限レベルが設定され、推奨上限レベルに対応付けられたレベルが報知対象レベルに設定され、蓄電量が推奨上限レベルを上回らないように制御される。従って、本実施形態によれば、推奨上限レベル以下の蓄電量が蓄電池２１０に蓄電されている状態を維持するとともに、蓄電量が推奨上限レベルに関わるレベルに達したことを適切に報知することができる。
【０１０３】
また、本実施形態では、蓄電量が推奨上限レベルに達してから再充電許可レベルに達するまでの間、蓄電池２１０が充電しないように制御される。従って、本実施形態によれば、充電と放電とが繰り返されることを抑制することができ、蓄電池の延命化を図ることが期待できる。また、本実施形態によれば、蓄電量が推奨上限レベルに関わるレベルに達したことの報知が繰り返されることを抑制することが期待できる。
【０１０４】
（実施形態２）
実施形態１では、基本的に、電力制御装置１００が、単独で、報知対象レベルを設定する例について説明した。本発明において、報知対象レベルを設定する手法は、この例に限定されない。また、実施形態１では、電力制御装置１００が、単独で、蓄電量が報知対象レベルに達したことを報知する例について説明した。本発明において、蓄電量が報知対象レベルに達したことを報知する手法は、この例に限定されない。また、実施形態１では、蓄電保証レベル（推奨上限レベル）の近傍において、充電と放電との繰り返しを回避するために、再放電許可レベル（再充電許可レベル）を設定する例について説明した。本発明において、充電と放電との繰り返しを回避する手法はこの例に限定されない。
【０１０５】
以下、基本的に、実施形態２に係る充放電制御システム１０００が実施形態１に係る充放電制御システム１０００と異なる部分について説明する。なお、実施形態２に係る充放電制御システム１０００は、物理的な構成に関しては、基本的に、実施形態１に係る充放電制御システム１０００と同様である。
【０１０６】
実施形態２では、電力制御装置１００は、ホームコントローラ３００などと協働して、蓄電保証レベルなどを設定する。ここで、蓄電保証レベルを設定する手法は、適宜、調整することができる。
【０１０７】
例えば、蓄電保証レベルは、蓄電池２１０に充電することが予測される予測充電量に基づいて設定される。例えば、蓄電保証レベルは、予測充電量が大きいほど高く設定される。予測充電量は、例えば、蓄電池２１０が配置される地域の天気予報を示す天気情報に基づいて求められる。なお、電力制御装置１００は、ホームコントローラ３００を介してサーバ７００などから天気情報を取得することができる。
【０１０８】
図１３に、天気予報と蓄電保証レベルとの関係を示す。図１３は、太陽光発電パネル２２０による発電量が大きいと予測されるほど、蓄電保証レベルが高く設定されることを示している。具体的には、天気予報が晴れの場合、蓄電保証レベルが高く設定され、天気予報が曇りの場合、蓄電保証レベルが中程度に設定され、天気予報が雨の場合、蓄電保証レベルが低く設定される。
【０１０９】
また、例えば、蓄電保証レベルは、蓄電池２１０が放電することが予測される予測放電量に基づいて設定される。予測放電量として、電気機器４００による消費電力量と、電気自動車による消費電力量とが考えられる。例えば、電気機器４００による消費電力量が小さいほど、蓄電保証レベルは高く設定される。一方、電気自動車による消費電力量が小さいほど、蓄電保証レベルは低く設定される。従って、電気機器４００により消費されると予測される電力に対する、電気自動車により消費されると予測される電力の割合（以下「電気自動車利用割合」という。）が高いほど、蓄電保証レベルは高く設定される。
【０１１０】
なお、電気自動車による消費電力量は、電気自動車の走行スケジュールを示す走行スケジュール情報に基づいて推定されてもよいし、電気自動車の過去の使用実績に基づいて推定されてもよい。また、電気機器４００による消費電力量は、電気機器４００が使用されるスケジュールを示す使用スケジュール情報に基づいて推定されてもよいし、電気機器４００の過去の使用実績に基づいて推定されてもよい。また、電力制御装置１００は、走行スケジュール情報や使用スケジュール情報を、ホームコントローラ３００から取得することができる。
【０１１１】
図１４に、電気自動車利用割合と蓄電保証レベルとの関係を示す。図１４は、電気自動車利用割合が高いと予測されるほど、蓄電保証レベルが高く設定されることを示している。具体的には、電気自動車利用割合が高い場合、蓄電保証レベルが高く設定され、電気自動車利用割合が中程度の場合、蓄電保証レベルが中程度に設定され、電気自動車利用割合が低い場合、蓄電保証レベルが低く設定される。
【０１１２】
また、本実施形態では、実施形態１において設定されていた再放電許可レベルや再充電許可レベルが設定されない。本実施形態では、蓄電量の大きさに応じて再放電や再充電が許可されるのではなく、経過時間の長さに応じて再放電や再充電が許可される。以下、図１５を参照して、蓄電保証レベル近傍での充放電制御について説明する。図１５では、縦軸が蓄電量を示し、横軸が時間を示している。
【０１１３】
まず、ｔ３１までは、蓄電量が蓄電保証レベル以上であるため、通常制御が実行される。ここで、ｔ３１において、蓄電量が蓄電保証レベルになると、放電できなくなった旨が報知される。そして、ｔ３１から放電禁止時間が経過するｔ３２までは、蓄電量のレベルにかかわらず、放電禁止期間（蓄電保証レベル到達直後）であるため、放電禁止制御が実行される。そして、ｔ３２において、放電できるようになった旨が報知される。そして、ｔ３２以降は、蓄電量が蓄電保証レベル以上であるため、通常制御が実行される。
【０１１４】
次に、図１６を参照して、推奨上限レベル近傍での充放電制御について説明する。図１６では、縦軸が蓄電量を示し、横軸が時間を示している。
【０１１５】
まず、ｔ４１までは、蓄電量が推奨上限レベル以下であるため、通常制御が実行される。ここで、ｔ４１において、蓄電量が推奨上限レベルになると、充電できなくなった旨が報知される。そして、ｔ４１から充電禁止時間が経過するｔ４２までは、蓄電量のレベルにかかわらず、充電禁止期間（推奨上限レベル到達直後）であるため、充電禁止制御が実行される。そして、ｔ４２において、充電できるようになった旨が報知される。そして、ｔ４２以降は、蓄電量が推奨上限レベル以下であるため、通常制御が実行される。
【０１１６】
次に、本実施形態に係る充放電制御システム１０００が実行する充放電制御処理について説明する。なお、図８に示す充放電制御処理、図１０に示す報知処理に関しては、実施形態１と実施形態２とで特段の差異はない。従って、以下、実施形態１と実施形態２とで差異がある、制御変更処理、充電中報知処理、放電中報知処理について説明する。まず、図１７に示すフローチャートを参照して、制御変更処理について、詳細に説明する。
【０１１７】
まず、制御部１１０は、蓄電量が蓄電保証レベル以下であるか否かを判別する（ステップＳ６０１）。制御部１１０は、蓄電量が蓄電保証レベル以下であると判別すると（ステップＳ６０１：ＹＥＳ）、強制充電制御を開始する（ステップＳ６０２）。
【０１１８】
制御部１１０は、蓄電量が蓄電保証レベル以下でないと判別すると（ステップＳ６０１：ＮＯ）、蓄電量が推奨上限レベル以上であるか否かを判別する（ステップＳ６０３）。制御部１１０は、蓄電量が推奨上限レベル以上であると判別すると（ステップＳ６０３：ＹＥＳ）、強制放電制御を開始する（ステップＳ６０４）。
【０１１９】
制御部１１０は、蓄電量が推奨上限レベル以上でないと判別すると（ステップＳ６０３：ＮＯ）、放電禁止期間であるか否かを判別する（ステップＳ６０５）。なお、制御部１１０が放電禁止期間であるか否かを判別する手法は、適宜、調整することができる。
【０１２０】
例えば、制御部１１０は、蓄電保証レベルに到達した場合に、ＲＴＣから取得した時刻情報に基づいて、蓄電保証レベルに到達した時刻を求める。そして、制御部１１０は、蓄電保証レベルに到達した時刻から放電禁止時間経過した時刻である放電禁止終了時刻を求める。制御部１１０は、放電禁止終了時刻を示す放電禁止終了時刻情報を記憶部１５０に記憶する。また、制御部１１０は、ＲＴＣから取得した時刻情報に基づいて、現在時刻を求める。ここで、制御部１１０は、現在時刻が放電禁止終了時刻よりも前の時刻である場合、放電禁止期間であると判別する。制御部１１０は、放電禁止期間であると判別すると（ステップＳ６０５：ＹＥＳ）、放電禁止制御を開始する（ステップＳ６０６）。
【０１２１】
制御部１１０は、放電禁止期間でないと判別すると（ステップＳ６０５：ＮＯ）、充電禁止期間であるか否かを判別する（ステップＳ６０７）。なお、制御部１１０が充電禁止期間であるか否かを判別する手法は、適宜、調整することができる。
【０１２２】
例えば、制御部１１０は、推奨上限レベルに到達した場合に、ＲＴＣから取得した時刻情報に基づいて、推奨上限レベルに到達した時刻を求める。そして、制御部１１０は、推奨上限レベルに到達した時刻から充電禁止時間経過した時刻である充電禁止終了時刻を求める。制御部１１０は、充電禁止終了時刻を示す充電禁止終了時刻情報を記憶部１５０に記憶する。また、制御部１１０は、ＲＴＣから取得した時刻情報に基づいて、現在時刻を求める。ここで、制御部１１０は、現在時刻が充電禁止終了時刻よりも前の時刻である場合、充電禁止期間であると判別する。制御部１１０は、充電禁止期間であると判別すると（ステップＳ６０７：ＹＥＳ）、充電禁止制御を開始する（ステップＳ６０８）。
【０１２３】
制御部１１０は、充電禁止期間でないと判別した場合（ステップＳ６０７：ＮＯ）、通常制御を開始する（ステップＳ６０９）。制御部１１０は、ステップＳ６０２、ステップＳ６０４、ステップＳ６０６、ステップＳ６０８、ステップＳ６０９の処理を完了すると、制御変更処理を終了する。
【０１２４】
次に、図１８に示すフローチャートを参照して、充電中報知処理について、詳細に説明する。
【０１２５】
まず、制御部１１０は、蓄電量が蓄電保証レベルまで増加したか否かを判別する（ステップＳ７０１）。例えば、制御部１１０は、前回測定された蓄電量が蓄電保証レベルよりも小さく、今回測定された蓄電量が蓄電保証レベルよりも大きい場合、蓄電量が蓄電保証レベルまで増加したと判別する。制御部１１０は、蓄電量が蓄電保証レベルまで増加したと判別すると（ステップＳ７０１：ＹＥＳ）、蓄電保証レベルまで増加した旨を報知する（ステップＳ７０２）。例えば、制御部１１０は、ホームコントローラ３００を介して、端末装置６００に、蓄電保証レベル分の蓄電量が確保された旨を、予め定められた期間（例えば、数秒〜数分間）報知させる。なお、制御部１１０は、通信部１７０を介して、ホームコントローラ３００と通信することができる。一方、ホームコントローラ３００は、宅内インターフェース３６や宅外インターフェース３７を介して、端末装置６００と通信することができる。そして、端末装置６００は、タッチスクリーン６８によるメッセージ表示やスピーカ６９による音声出力により、蓄電保証レベル分の蓄電量が確保された旨を報知することができる。この場合、タッチスクリーン６８やスピーカ６９がこの発明の報知手段として機能する。
【０１２６】
制御部１１０は、蓄電量が蓄電保証レベルまで増加しなかったと判別した場合（ステップＳ７０１：ＮＯ）、又は、ステップＳ７０２の処理を完了した場合、放電禁止期間が終了したか否かを判別する（ステップＳ７０３）。例えば、制御部１１０は、記憶部１５０に記憶されている放電禁止終了時刻情報により示される放電禁止終了時刻が、前回の蓄電量の測定時にＲＴＣから取得した時刻情報により示される時刻と、今回の蓄電量の測定時にＲＴＣから取得した時刻情報により示される時刻との間の時刻である場合、放電禁止期間が終了したと判別する。制御部１１０は、放電禁止期間が終了したと判別すると（ステップＳ７０３：ＹＥＳ）、放電禁止期間が終了した旨を報知する（ステップＳ７０４）。例えば、制御部１１０は、ホームコントローラ３００を介して、端末装置６００に、放電できるようになった旨を、予め定められた期間、報知させる。
【０１２７】
制御部１１０は、放電禁止期間が終了しなかったと判別した場合（ステップＳ７０３：ＮＯ）、又は、ステップＳ７０４の処理を完了した場合、蓄電量が推奨上限レベルまで増加したか否かを判別する（ステップＳ７０５）。制御部１１０は、蓄電量が推奨上限レベルまで増加したと判別すると（ステップＳ７０５：ＹＥＳ）、推奨上限レベルまで増加した旨を報知する（ステップＳ７０６）。例えば、制御部１１０は、ホームコントローラ３００を介して、端末装置６００に、充電できなくなった旨を、予め定められた期間、報知させる。制御部１１０は、ステップＳ７０６の処理を完了した場合、又は、蓄電量が推奨上限レベルまで増加しなかったと判別した場合（ステップＳ７０５：ＮＯ）、充電中報知処理を完了する。
【０１２８】
次に、図１９に示すフローチャートを参照して、放電中報知処理について詳細に説明する。
【０１２９】
まず、制御部１１０は、蓄電量が推奨上限レベルまで減少したか否かを判別する（ステップＳ８０１）。例えば、制御部１１０は、前回測定された蓄電量が推奨上限レベルよりも大きく、今回測定された蓄電量が推奨上限レベルよりも小さい場合、蓄電量が推奨上限レベルまで減少したと判別する。制御部１１０は、蓄電量が推奨上限レベルまで減少したと判別すると（ステップＳ８０１：ＹＥＳ）、推奨上限レベルまで減少した旨を報知する（ステップＳ８０２）。例えば、制御部１１０は、ホームコントローラ３００を介して、端末装置６００に、推奨上限レベル分の蓄電量まで放電された旨を、予め定められた期間、報知させる。
【０１３０】
制御部１１０は、蓄電量が推奨上限レベルまで減少しなかったと判別した場合（ステップＳ８０１：ＮＯ）、又は、ステップＳ８０２の処理を完了した場合、充電禁止期間が終了したか否かを判別する（ステップＳ８０３）。例えば、制御部１１０は、記憶部１５０に記憶されている充電禁止終了時刻情報により示される充電禁止終了時刻が、前回の蓄電量の測定時にＲＴＣから取得した時刻情報により示される時刻と、今回の蓄電量の測定時にＲＴＣから取得した時刻情報により示される時刻との間の時刻である場合、充電禁止期間が終了したと判別する。制御部１１０は、充電禁止期間が終了したと判別すると（ステップＳ８０３：ＹＥＳ）、充電禁止期間が終了した旨を報知する（ステップＳ８０４）。例えば、制御部１１０は、ホームコントローラ３００を介して、端末装置６００に、充電禁止期間が終了した旨を、予め定められた期間、報知させる。
【０１３１】
制御部１１０は、充電禁止期間が終了しなかったと判別した場合（ステップＳ８０３：ＮＯ）、又は、ステップＳ８０４の処理を完了した場合、蓄電量が蓄電保証レベルまで減少したか否かを判別する（ステップＳ８０５）。例えば、制御部１１０は、前回測定された蓄電量が蓄電保証レベルよりも大きく、今回測定された蓄電量が蓄電保証レベルよりも小さい場合、蓄電量が蓄電保証レベルまで減少したと判別する。制御部１１０は、蓄電量が蓄電保証レベルまで減少したと判別すると（ステップＳ８０５：ＹＥＳ）、蓄電量が蓄電保証レベルまで減少した旨を報知する（ステップＳ８０６）。例えば、制御部１１０は、ホームコントローラ３００を介して、端末装置６００に、放電できなくなった旨を、予め定められた期間、報知させる。制御部１１０は、ステップＳ８０６の処理を完了した場合、又は、蓄電量が蓄電保証レベルまで減少しなかったと判別した場合（ステップＳ８０５：ＮＯ）、放電中報知処理を完了する。
【０１３２】
本実施形態では、予測放電量と予測充電量とに基づいて、蓄電保証レベルが設定される。従って、本実施形態によれば、蓄電池２１０に、予測放電量と予測充電量とに基づく適切な蓄電保証レベル以上の電力が蓄電される。
【０１３３】
また、本実施形態では、走行スケジュール情報に基づいて、蓄電保証レベルが設定される。従って、本実施形態によれば、蓄電池２１０に、電気自動車の走行スケジュールに基づく適切な蓄電保証レベル以上の電力が蓄電される。
【０１３４】
また、本実施形態では、使用スケジュール情報に基づいて、蓄電保証レベルが設定される。従って、本実施形態によれば、蓄電池２１０に、電気機器４００の使用スケジュールに基づく適切な蓄電保証レベル以上の電力が蓄電される。
【０１３５】
また、本実施形態では、天気予報情報に基づいて、蓄電保証レベルが設定される。従って、本実施形態によれば、蓄電池２１０に、天気予報に基づく適切な蓄電保証レベル以上の電力が蓄電される。
【０１３６】
また、本実施形態では、測定された蓄電量が蓄電保証レベルに達してから放電禁止時間が経過するまでの間、蓄電池２１０が放電しないように制御される。従って、本実施形態によれば、充電と放電とが繰り返されることを抑制することができ、蓄電池２１０の延命化を図ることが期待できる。また、本実施形態によれば、蓄電量が蓄電保証レベルに関わるレベルに達したことの報知が繰り返されることを抑制することが期待できる。
【０１３７】
また、本実施形態では、測定された蓄電量が推奨上限レベルに達してから充電禁止時間が経過するまでの間、蓄電池２１０が充電しないように制御される。従って、本実施形態によれば、充電と放電とが繰り返されることを抑制することができ、蓄電池２１０の延命化を図ることが期待できる。また、本実施形態によれば、蓄電量が推奨上限レベルに関わるレベルに達したことの報知が繰り返されることを抑制することが期待できる。
【０１３８】
（変形例）
以上、本発明の実施形態を説明したが、本発明を実施するにあたっては、種々の形態による変形及び応用が可能である。
【０１３９】
本発明において、実施形態１や実施形態２において説明した構成、機能、動作のどの部分を採用するのかは任意である。また、本発明において、上述した構成、機能、動作のほか、更なる構成、機能、動作が採用されてもよい。また、実施形態１や実施形態２において説明した構成、機能、動作は、適宜、組み合わせることができる。
【０１４０】
例えば、蓄電量が蓄電保証レベルに達した場合、蓄電量が再放電許可レベルに達し、且つ、放電禁止期間が経過するまで、蓄電池２１０による放電が禁止されてもよい。あるいは、蓄電量が蓄電保証レベルに達した場合、蓄電量が再放電許可レベルに達し、又は、放電禁止期間が経過するまで、蓄電池２１０による放電が禁止されてもよい。
【０１４１】
同様に、例えば、蓄電量が推奨上限レベルに達した場合、蓄電量が再充電許可レベルに達し、且つ、充電禁止期間が経過するまで、蓄電池２１０による充電が禁止されてもよい。あるいは、蓄電量が推奨上限レベルに達した場合、蓄電量が再充電許可レベルに達し、又は、充電禁止期間が経過するまで、蓄電池２１０による充電が禁止されてもよい。
【０１４２】
また、天気予報情報と使用スケジュール情報と走行スケジュール情報とのうちの少なくとも２つに基づいて、蓄電保証レベルが設定されてもよい。
【０１４３】
また、推奨上限レベルの設定に伴う充電の制限がなく、蓄電保証レベルの設定に伴う放電の制限のみがあってもよい。また、蓄電保証レベルの設定に伴う放電の制限がなく、推奨上限レベルの設定に伴う充電の制限のみがあってもよい。なお、本発明において、蓄電量のレベルの大小関係は、図５に示す例に限定されない。従って、蓄電保証レベルは、他のレベルとは無関係に、任意のレベルに設定可能である。
【０１４４】
また、蓄電保証レベルの設定に伴う放電の制限や推奨上限レベルの設定に伴う充電の制限がなく、蓄電量が各レベルに達した旨などが報知されてもよい。例えば、蓄電量がフル充電レベルに達した場合、充電が完了した旨がユーザに報知されてもよい。なお、実際には、蓄電量がフル充電レベルに達していないにもかかわらず、加熱保護などを目的としたエラー処理のために、擬似的に、蓄電量がフル充電レベルに達したように扱われることがある。この場合、蓄電量がフル充電レベルに達した旨が報知されないようにしてもよい。また、蓄電量がフル放電レベルに達した場合、完全に放電した旨がユーザに報知されてもよい。
【０１４５】
また、蓄電池２１０による電力の供給がなければ電力不足に陥る可能性がある場合、電力不足に陥る可能性がある旨が報知されてもよい。例えば、商用電源２３０により供給可能な電力の電力値よりも、電気機器４００により消費されている電力の電力値の方が大きい場合、蓄電池２１０による電力の供給が途絶えると電力不足に陥る可能性がある旨が報知されることが望ましい。なお、電力制御装置１００は、ホームコントローラ３００を介して、電力計測装置５００から、消費電力や供給可能電力を示す情報を取得することができる。
【０１４６】
なお、蓄電保証レベルは、上述した情報以外の情報に基づいて、設定されてもよい。例えば、蓄電保証レベルは、計画停電のスケジュールやユーザの長期外出予定などに基づいて、設定されてもよい。なお、電力制御装置１００は、ホームコントローラ３００から、又は、ホームコントローラ３００を介してサーバ７００から、これらの情報を取得することができる。
【０１４７】
実施形態１では、電力制御装置１００が備える報知部１８０が、蓄電量が報知対象レベルに達したことを報知する例について説明した。また、実施形態２では、端末装置６００が備えるタッチスクリーン６８やスピーカ６９が、蓄電量が報知対象レベルに達したことを報知する例について説明した。本発明において、ホームコントローラ３００が、蓄電量が報知対象レベルに達したことを報知することができる。この場合、ホームコントローラ３００は、報知部１８０、タッチスクリーン６８、スピーカ６９などと同様の構成を備え、蓄電量が報知対象レベルに達したことを音声やメッセージ表示により報知することができる。
【０１４８】
実施形態２では、測定された蓄電量が蓄電保証レベル（又は、推奨上限レベル）に達してから放電禁止時間（又は、充電禁止期間）が経過するまでの間、蓄電池２１０が放電（又は、充電）しないように制御される例について説明した。本発明において、充放電の制御にヒステリシスを設けるのに代えて、報知の制御にヒステリシスを設けてもよい。この場合、例えば、制御部１１０は、測定された蓄電量が報知対象レベルに達したことを報知してから、予め定められた報知禁止時間が経過するまでの間、測定された蓄電量が報知対象レベルに達したことを報知しないように報知部１８０を制御する。かかる構成によれば、充放電の制御に依存せずに、蓄電量が報知対象レベルに関わるレベルに達したことの報知が繰り返されることを抑制することが期待できる。なお、報知禁止期間は、実施形態２における放電禁止期間や充電禁止期間に対応する期間と考えることができる。
【０１４９】
本発明における報知処理は、図１０に示す報知処理に限定されないことは勿論である。例えば、電力制御装置１００の状態が変化したことなどを契機として、各種の報知が実行されてもよい。以下、図２０に示すフローチャートを参照して、変形例に係る電力制御装置１００が実行する報知処理について説明する。
【０１５０】
まず、制御部１１０は、電力制御装置１００の状態が変化したか否かを判別する（ステップＳ９０１）。ここで、電力制御装置１００の状態は、例えば、充電状態（蓄電池２１０を充電中の状態）、放電状態（蓄電池２１０を放電中の状態）、停止状態（蓄電池２１０を充電も放電もしていない状態）のうちのいずれかの状態であるものとする。なお、制御部１１０は、今回の蓄電量の測定時における電力制御装置１００の状態を示す現在状態情報と、前回の蓄電量の測定時における電力制御装置１００の状態を示す過去状態情報とを、記憶部１５０に記憶および更新することができる。そして、制御部１１０は、記憶部１５０に記憶されている現在状態情報により示される状態と、記憶部１５０に記憶されている過去状態情報により示される状態とが、一致するか否かを判別することで、電力制御装置１００の状態が変化したか否かを判別することができる。
【０１５１】
制御部１１０は、電力制御装置１００の状態が変化したと判別すると（ステップＳ９０１：ＹＥＳ）、電力制御装置１００が充電状態に変化したか否かを判別する（ステップＳ９０２）。例えば、制御部１１０は、記憶部１５０に記憶されている現在状態情報により示される状態が充電状態である場合、電力制御装置１００が放電状態又は停止状態から充電状態に変化したと判別することができる。
【０１５２】
制御部１１０は、電力制御装置１００が充電状態に変化したと判別すると（ステップＳ９０２：ＹＥＳ）、充電開始の旨を報知する（ステップＳ９０３）。例えば、制御部１１０は、報知部１８０を制御して、充電開始の旨を報知することができる。一方、制御部１１０は、電力制御装置１００が充電状態に変化していないと判別すると（ステップＳ９０２：ＮＯ）、電力制御装置１００が放電状態に変化したか否かを判別する（ステップＳ９０４）。例えば、制御部１１０は、記憶部１５０に記憶されている現在状態情報により示される状態が放電状態である場合、電力制御装置１００が充電状態又は停止状態から放電状態に変化したと判別することができる。
【０１５３】
制御部１１０は、電力制御装置１００が放電状態に変化したと判別すると（ステップＳ９０４：ＹＥＳ）、放電開始の旨を報知する（ステップＳ９０５）。例えば、制御部１１０は、報知部１８０を制御して、放電開始の旨を報知することができる。制御部１１０は、電力制御装置１００が放電状態に変化していないと判別した場合（ステップＳ９０４：ＮＯ）、又は、ステップＳ９０３、ステップＳ９０５の処理を完了した場合、電力制御装置１００が充電状態であるか否かを判別する（ステップＳ９０６）。
【０１５４】
制御部１１０は、電力制御装置１００が充電状態であると判別すると（ステップＳ９０６：ＹＥＳ）、充電中報知処理を実行する（ステップＳ９０７）。なお、充電中報知処理は、図１１に示す充電中報知処理と同様の処理である。一方、制御部１１０は、電力制御装置１００が充電状態でないと判別すると（ステップＳ９０６：ＮＯ）、電力制御装置１００が放電状態であるか否かを判別する（ステップＳ９０８）。
【０１５５】
制御部１１０は、電力制御装置１００が放電状態であると判別すると（ステップＳ９０８：ＹＥＳ）、放電中報知処理を実行する（ステップＳ９０９）。なお、放電中報知処理は、図１２に示す放電中報知処理と同様の処理である。制御部１１０は、電力制御装置１００が放電状態でないと判別した場合（ステップＳ９０８：ＮＯ）、又は、ステップＳ９０９の処理を完了した場合、報知処理を完了する。かかる構成によれば、電力制御装置１００の状態に応じて、適切に、充電開始の旨や放電開始の旨を報知することができる。
【０１５６】
本発明に係る電力制御装置１００の動作を規定する動作プログラムを既存のパーソナルコンピュータや情報端末装置に適用することで、当該パーソナルコンピュータ等を本発明に係る電力制御装置１００として機能させることも可能である。
【０１５７】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１５８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１５９】
本発明は、蓄電池による充放電を制御する充放電制御システムに適用可能である。
【符号の説明】
【０１６０】
３１，６１  ＣＰＵ、３２，６２  ＲＯＭ、３３，６３  ＲＡＭ、３４，６４  フラッシュメモリ、３５，６５  ＲＴＣ、３６，６６  宅内インターフェース、３７，６７  宅外インターフェース、６８  タッチスクリーン、６９  スピーカ、１００  電力制御装置、１１０  制御部、１２０，１３０  パワーコンディショナ、１４０  蓄電量測定部、１５０  記憶部、１６０  操作部、１７０  通信部、１８０  報知部、２１０  蓄電池、２２０  太陽光発電パネル、２３０  商用電源、３００  ホームコントローラ、４００  電気機器、５００  電力計測装置、６００  端末装置、７００  サーバ、８１０  宅内ネットワーク、８２０  宅外ネットワーク、８３０  ブロードバンドルータ、１０００  充放電制御システム
【図１】
2015159426.tif 000003
【図２】
2015159426.tif 000004
【図３】
2015159426.tif 000005
【図４】
2015159426.tif 000006
【図５】
2015159426.tif 000007
【図６】
2015159426.tif 000008
【図７】
2015159426.tif 000009
【図８】
2015159426.tif 000010
【図９】
2015159426.tif 000011
【図１０】
2015159426.tif 000012
【図１１】
2015159426.tif 000013
【図１２】
2015159426.tif 000014
【図１３】
2015159426.tif 000015
【図１４】
2015159426.tif 000016
【図１５】
2015159426.tif 000017
【図１６】
2015159426.tif 000018
【図１７】
2015159426.tif 000019
【図１８】
2015159426.tif 000020
【図１９】
2015159426.tif 000021
【図２０】
2015159426.tif 000022
【手続補正書】
【提出日】平成28年5月17日(2016.5.17)
【手続補正１】
【補正対象書類名】明細書
【補正対象項目名】０００７
【補正方法】変更
【補正の内容】
【０００７】
上記目的を達成するために、本発明に係る充放電制御システムは、
商用電力系統と発電装置とのうちの少なくとも一方から供給された電力を充電して蓄電し、蓄電した電力を放電して電気機器に供給する蓄電池による充放電を制御する充放電制御手段と、
前記蓄電池に蓄電されている蓄電量を測定する蓄電量測定手段と、
ユーザから蓄電量の指定レベルを受け付ける指定レベル受付手段と、
前記指定レベル受付手段により受け付けられた指定レベルに対応付けられた報知対象レベルを設定する報知対象レベル設定手段と、
前記蓄電量測定手段により測定された蓄電量が前記報知対象レベル設定手段により設定された報知対象レベルに達したことに応答して、前記測定された蓄電量が前記報知対象レベルに達したことを報知する報知手段と、を備える。
【手続補正２】
【補正対象書類名】特許請求の範囲
【補正対象項目名】全文
【補正方法】変更
【補正の内容】
【特許請求の範囲】
【請求項１】
商用電力系統と発電装置とのうちの少なくとも一方から供給された電力を充電して蓄電し、蓄電した電力を放電して電気機器に供給する蓄電池による充放電を制御する充放電制御手段と、
前記蓄電池に蓄電されている蓄電量を測定する蓄電量測定手段と、
ユーザから蓄電量の指定レベルを受け付ける指定レベル受付手段と、
前記指定レベル受付手段により受け付けられた指定レベルに対応付けられた報知対象レベルを設定する報知対象レベル設定手段と、
前記蓄電量測定手段により測定された蓄電量が前記報知対象レベル設定手段により設定された報知対象レベルに達したことに応答して、前記測定された蓄電量が前記報知対象レベルに達したことを報知する報知手段と、を備える、
充放電制御システム。
【請求項２】
前記指定レベルは、前記蓄電池に蓄電されていることを保証する蓄電量のレベルである蓄電保証レベルであり、
前記充放電制御手段は、前記蓄電量測定手段により測定された蓄電量が前記蓄電保証レベルを下回らないように、前記蓄電池による充放電を制御する、
請求項１に記載の充放電制御システム。
【請求項３】
前記報知対象レベル設定手段は、前記蓄電池が放電することが予測される予測放電量と、前記蓄電池が充電することが予測される予測充電量と、のうちの少なくとも一方に基づいて、前記蓄電保証レベルを設定し、前記設定した蓄電保証レベルに対応付けられた報知対象レベルを設定する、
請求項２に記載の充放電制御システム。
【請求項４】
前記蓄電池は、前記蓄電池に蓄電された電力を動力源として走行する電気自動車が備える蓄電池であり、
前記報知対象レベル設定手段は、前記電気自動車の走行スケジュールを示す走行スケジュール情報に基づく予測放電量に基づいて、前記蓄電保証レベルを設定し、前記設定した蓄電保証レベルに対応付けられた報知対象レベルを設定する、
請求項３に記載の充放電制御システム。
【請求項５】
前記報知対象レベル設定手段は、前記電気機器が使用されるスケジュールを示す使用スケジュール情報に基づく予測放電量に基づいて、前記蓄電保証レベルを設定し、前記設定した蓄電保証レベルに対応付けられた報知対象レベルを設定する、
請求項３又は４に記載の充放電制御システム。
【請求項６】
前記報知対象レベル設定手段は、ユーザのスケジュールを示すユーザスケジュール情報に基づく予測放電量に基づいて、前記蓄電保証レベルを設定し、前記設定した蓄電保証レベルに対応付けられた報知対象レベルを設定する、
請求項３から５までのいずれか１項に記載の充放電制御システム。
【請求項７】
前記報知対象レベル設定手段は、計画停電のスケジュールを示す計画停電スケジュール情報に基づく予測充電量に基づいて、前記蓄電保証レベルを設定し、前記設定した蓄電保証レベルに対応付けられた報知対象レベルを設定する、
請求項３から６までのいずれか１項に記載の充放電制御システム。
【請求項８】
前記報知対象レベル設定手段は、前記蓄電池が配置される地域の天気予報を示す天気予報情報に基づく予測充電量に基づいて、前記蓄電保証レベルを設定し、前記設定した蓄電保証レベルに対応付けられた報知対象レベルを設定する、
請求項３から７までのいずれか１項に記載の充放電制御システム。
【請求項９】
前記蓄電保証レベルを示す情報を記憶する記憶手段をさらに備え、
前記記憶手段に記憶された情報は、前記指定レベル受付手段により新たな蓄電保証レベルが受け付けられたことに応答して更新され、
前記報知対象レベル設定手段は、前記記憶手段に記憶された情報により示される蓄電保証レベルに対応付けられた報知対象レベルを設定する、
請求項２に記載の充放電制御システム。
【請求項１０】
前記充放電制御手段は、前記蓄電量測定手段により測定された蓄電量が前記蓄電保証レベルに達してから、前記蓄電量測定手段により測定される蓄電量が再放電を許可するレベルである再放電許可レベルに達するまでの間、前記蓄電池が放電しないように前記蓄電池による充放電を制御する、
請求項２から９までのいずれか１項に記載の充放電制御システム。
【請求項１１】
前記充放電制御手段は、前記蓄電量測定手段により測定された蓄電量が前記蓄電保証レベルに達してから、予め定められた放電禁止時間が経過するまでの間、前記蓄電池が放電しないように前記蓄電池による充放電を制御する、
請求項２から１０までのいずれか１項に記載の充放電制御システム。
【請求項１２】
前記指定レベルは、前記蓄電池に蓄電することが推奨される上限のレベルである推奨上限レベルであり、
前記充放電制御手段は、前記蓄電量測定手段により測定された蓄電量が前記推奨上限レベルを上回らないように、前記蓄電池による充放電を制御する、
請求項１から１１までのいずれか１項に記載の充放電制御システム。
【請求項１３】
前記充放電制御手段は、前記蓄電量測定手段により測定された蓄電量が前記推奨上限レベルに達してから、前記蓄電量測定手段により測定される蓄電量が再充電を許可するレベルである再充電許可レベルに達するまでの間、前記蓄電池が充電しないように前記蓄電池による充放電を制御する、
請求項１２に記載の充放電制御システム。
【請求項１４】
前記充放電制御手段は、前記蓄電量測定手段により測定された蓄電量が前記推奨上限レベルに達してから、予め定められた充電禁止時間が経過するまでの間、前記蓄電池が充電しないように前記蓄電池による充放電を制御する、
請求項１２又は１３に記載の充放電制御システム。
【請求項１５】
前記報知手段は、前記測定された蓄電量が前記報知対象レベルに達したことを報知してから、予め定められた報知禁止時間が経過するまでの間、前記測定された蓄電量が前記報知対象レベルに達したことを報知しない、
請求項１から１４までのいずれか１項に記載の充放電制御システム。
【請求項１６】
蓄電池に蓄積されている蓄電量を測定する蓄電量測定手段を備える電力変換装置と報知手段を備える端末装置とのそれぞれとネットワークを介して通信するためのインターフェースを備え、
前記インターフェースを介して前記電力変換装置と前記端末装置とのそれぞれと通信し、
前記蓄電量測定手段により測定された蓄電量がユーザにより指定された指定レベルに対応付けられた報知対象レベルに達したことに応答して、前記測定された蓄電量が前記報知対象レベルに達したことを前記報知手段に報知させる、
制御装置。
【請求項１７】
蓄電池に蓄電されている蓄電量を測定する蓄電量測定ステップと、
ユーザから蓄電量の指定レベルを受け付ける指定レベル受付ステップと、
前記蓄電量測定ステップで測定された蓄電量が前記指定レベル受付ステップで受け付けられた指定レベルに対応付けられた報知対象レベルに達したことに応答して、前記測定された蓄電量が前記報知対象レベルに達したことを報知する報知ステップと、を備える、
充放電制御方法。
【請求項１８】
蓄電池に蓄電されている蓄電量を測定する蓄電量測定手段と報知手段とに接続されたコンピュータに、
ユーザから蓄電量の指定レベルを受け付ける指定レベル受付ステップと、
前記指定レベル受付ステップで受け付けられた指定レベルに対応付けられた報知対象レベルを設定する報知対象レベル設定ステップと、
前記蓄電量測定手段により測定された蓄電量が前記報知対象レベル設定ステップで設定された報知対象レベルに達したことに応答して、前記測定された蓄電量が前記報知対象レベルに達したことを前記報知手段に報知させる報知ステップと、を実行させる、
プログラム。
【国際調査報告】
2015159426.tif 000023
2015159426.tif 000024
2015159426.tif 000025
2015159426.tif 000026